(57)【要約】【課題】建屋に対する工事等を行わなくても、種々のタイプのレンジフードを設置することができるレンジフードの取付部材を提供する。【解決手段】レンジフード１７をその幅方向側部の一方側に位置する壁面Ｗに取り付ける取付部材において、壁面Ｗに固定される固定部３１と、固定部３１の上下方向中途部から壁面に対して垂直方向に突出して立設され、レンジフード１７のフード本体２２が取り付けられる本体取付部３２と、固定部３１及び本体取付部３２の双方と一体的に形成され、固定部３１及び本体取付部３２の間を補強する補強部３３とを設け、鉛直方向上方及び幅方向壁面側それぞれに開口部３０Ａ，３０Ｂを形成する。【選択図】  図２
2013155927.tif 000002
【特許請求の範囲】
【請求項１】
箱形状のフード本体と、このフード本体に連通したダクトとを有するレンジフードをこのレンジフードの幅方向側部の一方側に位置する壁面に取り付ける取付部材であって、
前記壁面に固定される固定部と、
前記固定部の上下方向中途部から壁面に対して垂直方向に突出して立設され、前記フード本体が取り付けられる本体取付部と、
前記固定部及び前記本体取付部の双方と一体的に形成され、前記固定部及び前記本体取付部の間を補強する補強部と、
を備え、
鉛直方向上方及び幅方向壁面側それぞれに開口部を有していることを特徴とする、レンジフードの取付部材。
【請求項２】
前記固定部及び本体取付部が、それぞれ、格子状に形成されている、請求項１に記載の取付部材。
【発明の詳細な説明】
【技術分野】
【０００１】
本発明は、レンジフードの取付部材に関する。さらに詳しくは、本発明は、種々のタイプのレンジフードの設置に有用なレンジフードの取付部材に関する。
【背景技術】
【０００２】
レンジフードは、調理時に、キッチンの加熱調理器より生じる油煙等を屋外へ排出するように、加熱調理器の上方に設置されている。かかるレンジフードとしては、例えば、天井近傍の壁面に固定して設置される壁面固定型のレンジフードが提案されている（例えば、特許文献１参照）。
特許文献１に記載のレンジフードは、対面型のキッチンユニットに用いられる壁面固定型のレンジフードである。かかるレンジフード（図１３（ａ）、５１０参照）は、フード本体５１１が加熱調理器５０１の上方に位置するように、造作壁Ｗ1に固定されている（図１３（ａ）参照）。
しかしながら、造作壁Ｗ1には、レンジフード５１０を固定するのに十分な強度を有することが要求されるため、造作壁Ｗ1の設置には大掛かりな工事が必要となる。したがって、造作壁への固定を必要とするレンジフードは、設置費用が高く、設置に長い工期を要するという欠点がある。また、造作壁とキッチンユニットとのデザインの一体性が乏しいため、造作壁への固定を必要とするレンジフードを用いた場合、キッチン全体のデザイン性が悪くなるという欠点がある。
【０００３】
造作壁を設けずに設置可能なレンジフードとして、天井吊ボルトを用いて、天井や梁に取り付けられる天井吊り下げ型のレンジフードが提案されている（例えば、特許文献２および３参照）。
かかる天井吊り下げ型のレンジフード（図１３（ｂ）、５１０参照）は、加熱調理器５０１の上方にフード５１１が位置するように、フード５１１に連接されたフード本体５１２を、天井吊ボルト５３１によって天井又は梁（図中、５４０）から吊り下げることによって天井又は梁（図中、５４０）に固定されている。
【先行技術文献】
【特許文献】
【０００４】
【特許文献１】特開２００３−１８５２１０号公報
【特許文献２】特開平５−２６４８９号公報
【特許文献３】特開２００５−４９０７４号公報
【発明の概要】
【発明が解決しようとする課題】
【０００５】
しかしながら、天井吊り下げ型のレンジフードは、レンジフードを吊り下げるに十分な強度が確保できるように、建屋の天井に対する補強等の追加工事を行う必要があるため、設置費用が高くなるという欠点がある。
【０００６】
したがって、本発明は、造作壁の大工造作や天井に対する補強等のような建屋に対する大掛かりな工事等を行わなくても、種々のタイプのレンジフードを設置することができるレンジフードの取付部材を提供することを目的とする。
【課題を解決するための手段】
【０００７】
本発明のレンジフードの取付部材（以下、「取付部材」という）は、箱形状のフード本体と、このフード本体に連通したダクトとを有するレンジフードをこのレンジフードの幅方向側部の一方側に位置する壁面に取り付ける取付部材であって、前記壁面に固定される固定部と、前記固定部の上下方向中途部から壁面に対して垂直方向に突出して立設され、前記フード本体が取り付けられる本体取付部と、前記固定部及び前記本体取付部の双方と一体的に形成され、前記固定部及び前記本体取付部の間を補強する補強部と、を備え、鉛直方向上方及び幅方向壁面側それぞれに開口部を有していることを特徴とする。
【０００８】
本発明の取付部材によれば、固定部によって壁面に固定され、かつこの固定部の上下方向中途部から立設された本体取付部によってレンジフードのフード本体が支持されるので、レンジフードをその幅方向側部の一方側に位置する壁面（以下、「横壁」という）に固定することができる。
【０００９】
レンジフードがその幅方向側部の一方側に位置する壁面に固定した場合、レンジフードの清掃時等には、例えば、図１２に示されるように、レンジフードの上下方向の荷重ｆx1，ｆx2、レンジフードの幅方向に壁面とは逆側への荷重ｆy1及びレンジフードの前後方向の荷重ｆz1，ｆz2がかかると考えられる。一方、本発明の取付部材によれば、固定部及び本体取付部の間に補強部が一体的に設けられていることによって、固定部及び本体取付部の間が強固に補強されているため、前記荷重ｆx1，ｆx2，ｆy1，ｆz1，ｆz2に対する十分な耐力を確保することができる。
したがって、レンジフードの背面側でレンジフードを支えなくても、この取付部材をレンジフードのフード本体に取り付けるとともに壁面に固定することによって、レンジフードが上下方向、前後方向及び幅方向それぞれに移動ができないようにレンジフードを強固に支えることができるので、本発明の取付部材によれば、造作壁の大工造作や天井に対する補強等のような建屋に対する大掛かりな工事等を行わなくても、レンジフードを設置することが可能となる。
【００１０】
また、本発明の取付部材は、鉛直方向上方及び幅方向壁面側それぞれに開口部を有しているので、レンジフードの設置に際して、手間をかけずにダクトを屋外に逃すことができ、種々のタイプのレンジフードに適用することができる。
【００１１】
本発明の取付部材は、固定部及び本体取付部が、それぞれ、格子状に形成されていることが好ましい。
【発明の効果】
【００１２】
本発明のレンジフードの取付部材によれば、造作壁の大工造作や天井に対する補強等のような建屋に対する大掛かりな工事等を行わなくても、種々のタイプのレンジフードを設置することができる。
【図面の簡単な説明】
【００１３】
【図１】本発明の一実施形態に係る取付部材によってレンジフードが設置されたキッチンユニットの正面図である。
【図２】本発明の一実施形態に係る取付部材にレンジフードが取り付けられた状態を示す拡大斜視図である。
【図３】本発明の一実施形態に係る取付部材の斜視図である。
【図４】本発明の一実施形態に係る取付部材の右側面図である。
【図５】図３のＡ−Ａ線での断面図である。
【図６】図３のＢ−Ｂ線での断面図である。
【図７】本発明の一実施形態に係る取付部材を用いたレンジフードの設置例を示す正面図である。
【図８】図７に示される設置例の上面図である。
【図９】本発明の一実施形態に係る取付部材を用いたレンジフードの設置例を示す正面図である。
【図１０】図９に示される取付部材の使用例の右側面図である。
【図１１】本発明の変形例に係る取付部材の斜視図である。
【図１２】レンジフードにかかる荷重を示す斜視説明図である。
【図１３】（ａ）は従来の壁面固定型のレンジフードの設置例を示す右側面図、（ｂ）は従来の天井吊り下げ型のレンジフードの設置例を示す右側面図である。
【発明を実施するための形態】
【００１４】
以下、図面を参照して本発明の実施形態を説明する。
図１は本発明の実施形態に係る取付部材によってレンジフードが設置されたキッチンユニットの正面図、図２は本発明の一実施形態に係る取付部材にレンジフードが取り付けられた状態を示す拡大斜視図、図３は本発明の一実施形態に係る取付部材の斜視図、図４は本発明の一実施形態に係る取付部材の右側面図、図５は図３のＡ−Ａ線での断面図、図６は図３のＢ−Ｂ線での断面図である。
なお、図１〜３においては、各部材のねじ穴、掛止孔等を省略している。また、図４〜６においては、一部のねじ穴を省略している。
【００１５】
［キッチンユニットの構成］
キッチンユニット１は、図１に示されるように、対面カウンター１１を備えた対面型のキッチンユニットである。かかるキッチンユニット１は、対面カウンター１１と、内部に収納空間が形成され、かつ後面にパネルが設けられたキャビネット部１２と、前記収納空間の前面に設けられ、かかる収納空間を開閉する扉１３と、キャビネット部１２の上部に設けられた天板１４と、この天板１４に設けられたシンク１５と、同じく天板１４に設けられたガスコンロやＩＨヒーターなどの加熱調理器１６と、加熱調理器１６の上方に位置するように設けられたレンジフード１７とを備える。
キッチンユニット１は、加熱調理器１６側の側面（図中、右側の側面）が横壁Ｗに接するように設置されている。
また、キッチンユニット１の背面のうち、加熱調理器１６の後方に位置する部分には、油等の拡散を防止するとともに、レンジフード１７による排ガスの捕集効率を向上させるべく、背面パネルＰが設けられている。
【００１６】
［レンジフードの構成］
レンジフード１７は、排ガスを捕集するフード２１と、このフード２１に連接された箱形状のフード本体２２と、このフード本体２２に連通したダクト２３とを有する。
レンジフード１７は、取付部材３０によって横壁Ｗに固定されている。
【００１７】
［取付部材の構成］
取付部材３０は、横壁Ｗに固定される枠形状の固定部３１と、フード本体２２が取り付けられる枠形状の本体取付部３２と、固定部３１及び本体取付部３２の双方と一体的に形成され、固定部３１及び本体取付部３２の間を補強する補強部３３とからなる（図２及び図３参照）。
【００１８】
固定部３１は、縦枠材１０１，１０２及び横枠材１０３，１０４が連接され、格子状を形成している。
縦枠材１０１，１０２及び横枠材１０３，１０４は、それぞれ、短手方向断面Ｌ字状に形成されている。これにより、レンジフード１７を横壁Ｗに固定して設置するのに十分な強度が確保されるとともに、横壁Ｗへの固定の際の作業容易性が確保されている。
これら縦枠材１０１，１０２及び横枠材１０３，１０４は、１つの面が横壁Ｗに向き合うように、スポット溶接によって、互いに接合されている（図４中、スポット溶接部４０１参照）。
【００１９】
図４に示されるように、縦枠材１０１の横壁Ｗに向き合う面からなる固定面１０１ａ及び縦枠材１０２の横壁Ｗに向き合う枠面１０２ａそれぞれの上半部には、横壁Ｗに取付部材３０をねじ止めして固定するのに用いられるねじ穴１０１ｂ，１０２ｂが形成されている。また、横枠材１０４の横壁Ｗに向き合う枠面１０４ａには、ねじの頭部が挿通可能な径を有する円形挿通部とこの挿通部の上方に連接された幅の狭い楕円形の落とし込み部とからなる掛支孔１０４ｂが形成されている。
取付部材３０は、これらのねじ穴１０１ｂ，１０２ｂ及び掛支孔１０４ｂにねじを通して横壁Ｗにねじ止めすることによって固定される。
さらに、縦枠材１０２のレンジフード背面側に向き合う枠面１０２ｃには、レンジフードの背面パネルＰを取り付けるねじ穴１０２ｄが形成されている。
【００２０】
本体取付部３２は、図３及び図５に示されるように、固定部３１の上下方向中途部から垂直方向に立設されている。本体取付部３２は、長手枠材２０１，２０２と、プレート２０５とからなり、格子状に形成されている。
プレート２０５は、水平になるように、長手枠材２０１，２０２それぞれの中途部に設けられており、ねじで長手枠材２０１，２０２に固定されている。これにより、プレート２０５によって長手枠材２０１，２０２が連結されるため、本体取付部３２の強度が向上する。
【００２１】
プレート２０５における横壁Ｗと反対方向に位置する一端側には、フード本体２２の上面２２ａが取り付けられる上面取付部２２１，２２２と、フード本体２２の横壁Ｗ側の側面２２ｂが取り付けられる側面取付部２２３とが当該プレート２０５と一体的に形成されている。
上面取付部２２１，２２２には、フード本体２２の上面２２ａを取り付けるためのねじ穴２２２ｂが形成されている（図６参照）。また、側面取付部２２３には、フード本体２２の横壁Ｗ側の側面２２ｂを取り付けるためのねじ穴２２３ｂが形成されている（図４参照）。
【００２２】
長手枠材２０１，２０２は、それぞれ、短手方向断面コの字状に形成されている。これにより、レンジフード１７を横壁Ｗに固定して設置するのに十分な強度が確保されている。
長手枠材２０１，２０２は、鉛直方向にプレート２０５の厚さ分の幅で位置ずれし、長手枠材２０１，２０２それぞれの長手方向が互いに平行になり、かつ前方が開放されるように、固定部３１の上下方向中途部にねじで固定されている（図６中、ねじ固定部４０２参照）。これにより、プレート２０５を、水平に設けることができる。
長手枠材２０１，２０２それぞれの横壁Ｗの反対側の端部は、図６に示されるように、鉛直方向に沿って設けられ、補強部３３を構成する枠材３０４，３０５それぞれの下方端部に接合されるとともに、これらの下方端部間に架設された連結部材２０３によって連結されている。この連結部材２０３は、横枠材１０３，１０４と同じ長さを有しており、短手方向断面Ｌ字状に形成されている。そして、長手枠材２０１，２０２と枠材３０４，３０５との間、及び枠材３０４，３０５と連結部材２０３との間は、スポット溶接によって接合されている。
【００２３】
補強部３３は、図３及び図５に示されるように、本体取付部３２から上方向に張り出すように本体取付部３２及び固定部３１の双方と一体的に形成されている。補強部３３は、枠材３０１〜３０５から構成されている。
【００２４】
枠材３０１，３０２は、それぞれ、短手方向断面コの字状に形成されている。また、枠材３０３，３０４，３０５は、短手方向断面Ｌ字状に形成されている。これにより、レンジフード１７を横壁Ｗに固定して設置するのに十分な強度が確保される。
枠材３０１，３０２は、前方が開放されるように、それぞれの一端部が固定部３１の上端部に接合されており、互いに同じ高さに位置し、かつそれぞれの長手方向が横壁Ｗに対する垂直方向に沿うように配置されている。
枠材３０１，３０２は、それぞれ、長手枠材２０１，２０２と同じ長さを有している。また、枠材３０３は、横枠材１０３，１０４と同じ長さを有している。さらに、枠材３０４，３０５は、補強部３３を構成する枠材３０１，３０２，３０３から構成されるコの字状の枠体と、長手枠材２０１，２０２及び連結部材２０３から構成されるコの字状の枠体とが平行に位置するように配置可能な長さとされている。これにより、取付部材３０は、ダクトが通る空間が確保された立体格子状とされている。
さらに、枠材３０５のレンジフード背面側に向き合う面３０５ｃには、レンジフードの背面パネルＰを連結可能なねじ穴３０５ｄが形成されている。
【００２５】
本実施形態においては、固定部３１を構成する縦枠材１０１，１０２及び横枠材１０３，１０４、本体取付部３２を構成する長手枠材２０１，２０２，連結部材２０３及びプレート２０５、補強部３３を構成する枠材３０１〜３０５等の部材は、それぞれ、厚さ１．６ｍｍの亜鉛めっき鋼板より形成されている。これにより、レンジフード１７を横壁Ｗに固定して設置するのに十分な強度が確保される。かかる部材は、レンジフード１７を横壁Ｗに固定して設置するのに十分な強度を有するのであれば、鉄鋼、ステンレス、アルミニウム、木材、合成樹脂などの他の材料からなるものであってもよい。
【００２６】
［取付部材を用いたレンジフードの設置例］
つぎに、取付部材３０を用いたレンジフード１７の設置例を説明する。
図７は本発明の一実施形態に係る取付部材を用いたレンジフードの設置例を示す正面図、図８は図７に示される設置例の上面図である。図７及び図８に示される設置例は、ダクト２３が天井Ｒ方向に配置されているレンジフードの設置例である。
かかる設置例では、まず、取付部材３０の固定部３１を横壁Ｗに固定した後、本体取付部３２の上面取付部２２１，２２２にフード本体２２の上面２２ａを取り付けるとともに、本体取付部３２の側面取付部２２３にフード本体２２の横壁Ｗ側の側面２２ｂを取り付ける。このとき、ダクト２３は、開口部３０Ａを通して天井Ｒに向けて配置することができる。取付部材３０の背面側には、図示しないねじ穴１０２ｄ，３０５ｄを介して、背面パネルＰがねじ固定される。
【００２７】
図９は本発明の一実施形態に係る取付部材を用いたレンジフードの他の設置例を示す正面図、図１０は図９に示される設置例の上面図である。図９及び図１０に示される設置例は、ダクト２３が横壁Ｗ方向に配置されているレンジフードの設置例である。
かかる設置例においても、まず、取付部材３０の固定部３１を横壁Ｗに固定した後、本体取付部３２の上面取付部２２１，２２２にフード本体２２の上面２２ａを取り付けるとともに、本体取付部３２の側面取付部２２３にフード本体２２の横壁Ｗ側の側面２２ｂを取り付ける。このとき、ダクト２３は、開口部３０Ｂを通して横壁Ｗに向けて配置することができる。取付部材３０の背面側には、図示しないねじ穴１０２ｄ，３０５ｄを介して、背面パネルＰがねじ固定される。
【００２８】
なお、取付部材３０がレンジフードを固定するに十分な強度を有するため、背面パネルＰは、レンジフードを固定するに十分な強度を有していなくてもよい。したがって、取付部材３０を用いてレンジフードを設置することにより、背面パネルＰを、造作壁よりも薄い仕様とすることができることから、造作壁を用いる場合と比べて広いカウンタースペースを確保することができる。加えて、背面パネルとして、デザイン性や加工性に優れるガラス製パネルやホーロー製パネルを用いることができることから、キッチンユニットのデザイン性を向上させることができる。
【００２９】
［変形例］
前記実施形態においては、固定部３１、本体取付部３２及び補強部３３は、枠形状とされているが、レンジフード１７を横壁Ｗに固定して設置するのに十分な強度を有し、かつ横壁Ｗへの固定及びレンジフードの取り付けが可能であれば、他の形状とされていてもよい。すなわち、本発明においては、ダクトが通る開口部を有するものであれば、枠体より構成されたものでなくてもよい。図１１は、本発明の変形例に係る取付部材の斜視図である。変形例に係る取付部材５０は、補強部３３の前方部、後方部、側部及び上部並びに固定部３１の一部が、それぞれ、開口部５０１を有する板材５１、開口部５０２を有する板材５０２、開口部５０３を有する板材５３、開口部５０４を有する板材５４及び開口部５０５を有する板材５５によって構成されている。なお、かかる変形例においては、ダクトを通す補強部３３の上部を構成する板材及び固定部３１を構成する板材の双方又はいずれか一方に開口部が形成されていてもよい。
【符号の説明】
【００３０】
１７    レンジフード
２２    フード本体
２３    ダクト
３０    取付部材
３０Ａ  開口部
３０Ｂ  開口部
３１    固定部
３２    本体取付部
３３    補強部
５０    取付部材
５０１  開口部
５０２  開口部
５０３  開口部
５０４  開口部
５０５  開口部
Ｗ      壁面
【図１】
2013155927.tif 000003
【図２】
2013155927.tif 000004
【図３】
2013155927.tif 000005
【図４】
2013155927.tif 000006
【図５】
2013155927.tif 000007
【図６】
2013155927.tif 000008
【図７】
2013155927.tif 000009
【図８】
2013155927.tif 000010
【図９】
2013155927.tif 000011
【図１０】
2013155927.tif 000012
【図１１】
2013155927.tif 000013
【図１２】
2013155927.tif 000014
【図１３】
2013155927.tif 000015